(57)【要約】【課題】複数の光源を有する照明装置の点灯制御において、低い処理負荷で、複数の光源間の積算点灯時間の平準化を図るだけでなく複数の光源の照度分布変化を抑制する照明制御装置を提供する。【解決手段】照明制御装置１は、第１の点灯率の複数の光源選択パターンと第２の点灯率の複数の光源選択パターンとの間の予め設定されたリンク関係を記憶するリンク記憶部であって、リンク関係が、第１の点灯率のパターンと第２の点灯率のパターンとの間で共通して点灯される光源数が最大となる組合せの部分集合を紐付けするものであるリンク記憶部１１と、各パターンの積算点灯時間を記憶する積算時間記憶部１２と、第１の点灯率と第２の点灯率の間で点灯率が切り換えられる場合に、遷移元パターンに対してリンク関係のあるパターンを遷移先候補として特定し、遷移先候補から最小の積算点灯時間のパターンを遷移先パターンとして決定するパターン決定部１５を備える。【選択図】  図１
2017168242.tif 000002
【特許請求の範囲】
【請求項１】
複数の光源を有する照明装置の点灯状態を制御する照明制御装置であって、
前記複数の光源のうちの点灯される光源の割合を点灯率と定義して、第１の点灯率の複数の光源選択パターンと前記第１の点灯率とは異なる第２の点灯率の複数の光源選択パターンとの間の予め設定されたリンク関係を記憶するリンク記憶部であって、前記リンク関係が、前記第１の点灯率の複数の光源選択パターンと前記第２の点灯率の複数の光源選択パターンとの間で共通して点灯される光源数が最大となる組合せの部分集合を紐付けするものである、リンク記憶部と、
前記第１及び第２の点灯率の複数の光源選択パターンの各々についての積算点灯時間を記憶する積算時間記憶部と、
前記第１の点灯率と前記第２の点灯率の間で点灯率が切り換えられる場合に、遷移元の光源選択パターンに対して前記リンク関係のある光源選択パターンを遷移先候補として特定し、該遷移先候補から最小の積算点灯時間の光源選択パターンを遷移先の光源選択パターンとして決定するパターン決定部と、
前記パターン決定部によって決定された前記光源選択パターンでの点灯を指示する信号を前記照明装置に送信する通信部と
を備えた照明制御装置。
【請求項２】
請求項１に記載の照明制御装置において、
前記リンク関係に関与しない未登録の光源選択パターンが選択された状態から所定点灯率への切換が行われる場合に、前記パターン決定部が、前記所定点灯率の光源選択パターンと前記未登録の光源選択パターンとの間で共通して点灯する光源数が最大となる光源選択パターンを遷移先候補として特定し、該遷移先候補の中から最小の積算点灯時間の光源選択パターンを遷移先の光源選択パターンとして決定するように構成された、照明制御装置。
【請求項３】
請求項１又は２に記載の照明制御装置において、前記複数の光源が全て消灯又は点灯した状態から所定点灯率への切換が行われる場合に、前記パターン決定部が、前記所定点灯率の複数の光源選択パターンから最小の積算点灯時間の光源選択パターンを遷移先の光源選択パターンとして決定するように構成された、照明制御装置。
【請求項４】
請求項１から３のいずれか一項に記載の照明制御装置において、前記リンク関係に関与する所与の光源選択パターンが選択された状態においてユーザ入力によって前記所与の光源選択パターンの点灯率と同じ点灯率が指定された場合に、前記パターン決定部が、他の光源選択パターンの積算点灯時間にかかわらず、前記所与の光源選択パターンを維持するように構成された、照明制御装置。
【請求項５】
請求項１から４のいずれか一項に記載の照明制御装置において、相対的に低い点灯率に対応する光源選択パターンの数が、相対的に高い点灯率に対応する光源選択パターンの数よりも多く、前記リンク関係がツリー状に形成された、照明制御装置。
【請求項６】
請求項１から５のいずれか一項に記載の照明制御装置であって、ユーザ入力を受け付けるユーザインターフェイス部を更に備え、
前記ユーザインターフェイス部が、現在の光源選択パターンが、前記リンク関係に関与する前記複数の光源選択パターンのいずれかに合致する場合に、当該合致を表示する動作モニタ機能を備えた、照明制御装置。
【請求項７】
請求項６に記載の照明制御装置において、
前記ユーザインターフェイス部が、表示画面と、該表示画面上において選択可能な点灯率を表示する点灯率表示領域と、前記複数の光源選択パターンを表示するパターン表示領域とを備え、前記動作モニタ機能が、前記点灯率表示領域において現在の点灯率の表示を残余の点灯率の表示とは異なる態様で実行するとともに、前記パターン表示領域において現在の光源選択パターンの表示を残余の光源選択パターンの表示とは異なる態様で実行するように構成された、照明制御装置。
【請求項８】
請求項１から７のいずれか一項に記載の照明制御装置と、前記照明装置とを備えた照明制御システム。
【請求項９】
前記複数の光源の各々がＨＩＤランプ又はＬＥＤランプである請求項８に記載の照明制御システム。
【請求項１０】
コンピュータを、請求項１から７のいずれか一項に記載の照明制御装置が備える各部として機能させるプログラム。
【発明の詳細な説明】
【技術分野】
【０００１】
本発明は、複数の光源を有する照明装置の点灯状態を制御する照明制御装置、照明制御システム及びプログラムに関する。
【背景技術】
【０００２】
特許文献１は、複数の照明装置を所定の点灯率で間引き点灯する照明システムを開示する。同システムは、点灯率を選択する点灯率選択手段と、各点灯率において点灯する照明機器の組み合わせ（点灯パターン）を記憶する記憶手段と、選択された点灯率に対応する点灯パターンの１つを選択させる点灯パターン選択手段と、選択された点灯パターンに従って照明機器を点灯又は消灯する点灯制御手段を備える。同システムでは更に、各照明機器の点灯積算時間を計測する点灯時間計測手段と、選択された点灯率について点灯積算時間の合計が最も少ない点灯パターンを検出する検出手段が設けられ、選択された点灯率及び検出された点灯パターンに従って照明機器が点灯又は消灯される。
【０００３】
特許文献２の照明制御装置は、複数の照明装置についての所定の全体照度レベルを実現するための間引きパターンを記憶するパターン登録部と、第１の全体照度レベルに対応する第１の間引きパターンが、第１の全体照度レベルとは異なる第２の全体照度レベルに対応する第２の間引きパターンへ切り換えられる場合に、第１の間引きパターンと第２の間引きパターンに共通する非間引き照明装置の数が最大となるように第２の間引きパターンを選択するリンク演算部と、リンク演算部によって選択された間引きパターンに従って複数の照明装置の各々を制御するための照明制御信号を生成する信号生成部を備える。
【先行技術文献】
【特許文献】
【０００４】
【特許文献１】特開２０１３−８４４７４号公報
【特許文献２】特開２０１５−１５６２７６号公報
【発明の概要】
【発明が解決しようとする課題】
【０００５】
しかし、特許文献１の構成によると、間引き点灯中にユーザによって点灯率が切り換えられた場合に問題が起こり得る。詳細を後述するように、異なる点灯率間での点灯／消灯パターンの切換えにおいて、複数の照明装置のうち、点灯から消灯に移行する照明装置の割合及び消灯から点灯に移行する照明装置の割合が多い場合、その照度分布又は全体照度の変化が大きくなり、この変化がユーザに視覚的違和感を与える。また、照明装置がＨＩＤランプを光源とする場合、ＨＩＤランプの性質上、点灯開始直後の照度は非常に低く、その後の数分は定格の照度に到達しない。したがって、特に、ＨＩＤランプを有する照明装置の点灯パターンの切換において、上記のような照度分布の変化の大きい切換えがなされると視覚的違和感の問題がより顕著になる。例えば、点灯状態にあった照明装置が全て消灯されるとともに消灯状態にあった照明装置が点灯されるような場合には、点灯パターン切換え時に一時的に全灯消灯状態となり、その後も光束が立ち上るまでは暗い状態が続くことになる。その間、ユーザは充分な照度を得ることができず、予定されていた行動をとることができないという問題が起こる。また、光源がＬＥＤランプの場合であっても、上記のような照度分布変化の大きな切換が行われると、その照射面（地面等）において瞬間的に配光が大きく変わり、これがユーザにちらつき感を与えてしまい、好ましくない。
【０００６】
また、特許文献２の構成において、複数の照明装置を複数の光源として見た場合、リンク演算部が、第１の間引きパターンと第２の間引きパターンに共通する非間引き光源の数が最大となるように第２の間引きパターンを選択するので、上記の照度分布変化の問題が回避されることが期待できる。しかし、実際の照明灯（照明鉄塔）には数十〜数百の光源が設置されることを考慮すると、点灯率切換毎にパターンを計算するのでは、リンク演算部の処理負荷が高くなり、照明制御装置のＣＰＵの高コスト化又は照明制御の遅延がもたらされる可能性がある。
【０００７】
そこで、本発明は、複数の光源を有する照明装置の点灯制御において、低い処理負荷で、複数の光源間の積算点灯時間の平準化を図るだけでなく複数の光源の照度分布の変化を抑制する照明制御装置、照明制御システム及びプログラムを提供することを課題とする。
【課題を解決するための手段】
【０００８】
本発明の、複数の光源を有する照明装置の点灯状態を制御する照明制御装置は、複数の光源のうちの点灯される光源の割合を点灯率と定義して、第１の点灯率の複数の光源選択パターンと第１の点灯率とは異なる第２の点灯率の複数の光源選択パターンとの間の予め設定されたリンク関係を記憶するリンク記憶部であって、リンク関係が、第１の点灯率の複数の光源選択パターンと第２の点灯率の複数の光源選択パターンとの間で共通して点灯される光源数が最大となる組合せの部分集合を紐付けするものである、リンク記憶部と、第１及び第２の点灯率の複数の光源選択パターンの各々についての積算点灯時間を記憶する積算時間記憶部と、第１の点灯率と第２の点灯率の間で点灯率が切り換えられる場合に、遷移元の光源選択パターンに対してリンク関係にある光源選択パターンを遷移先候補として特定し、遷移先候補から最小の積算点灯時間の光源選択パターンを遷移先の光源選択パターンとして決定するパターン決定部と、パターン決定部によって決定された光源選択パターンでの点灯を指示する信号を照明装置に送信する通信部を備える。
【０００９】
上記構成によると、点灯率切換の際に、パターン決定部が、リンク記憶部に予め記憶されたリンク関係に従って遷移先候補を特定し、その上で積算時間記憶部に記憶された積算点灯時間に基づいて遷移先候補から遷移先光源選択パターンを決定する。このように、複数の光源を有する照明装置の点灯制御において、複数の光源における照度分布変化の抑制及び複数の光源間の積算点灯時間の平準化が、予め記憶された情報に基づいて実現される。したがって、点灯率の切換の際に、低い処理負荷で、複数の光源間の積算点灯時間の平準化を図るだけでなく複数の光源の照度分布の変化を抑制してユーザにおける視覚的違和感を軽減することが可能となる。
【００１０】
ここで、リンク関係に関与しない未登録の光源選択パターンが選択された状態から所定点灯率への切換が行われる場合に、パターン決定部が、所定点灯率の光源選択パターンと未登録の光源選択パターンとの間で共通して点灯する光源数が最大となる光源選択パターンを遷移先候補として特定し、遷移先候補の中から最小の積算点灯時間の光源選択パターンを遷移先の光源選択パターンとして決定するように構成される。これにより、光源選択パターンがリンク関係から外れた場合でも、複数の光源における照度分布の変化の抑制及び複数の光源間の積算点灯時間の平準化が考慮された最適な光源選択パターンへの復帰が可能となる。
【００１１】
また、複数の光源が全て消灯又は点灯した状態から所定点灯率への切換が行われる場合に、パターン決定部が、所定点灯率の複数の光源選択パターンから最小の積算点灯時間の光源選択パターンを遷移先の光源選択パターンとして決定するように構成される。これにより、積算点灯時間の平準化が確保される。
【００１２】
また、リンク関係に関与する所与の光源選択パターンが選択された状態においてユーザ入力によって所与の光源選択パターンの点灯率と同じ点灯率が指定された場合に、パターン決定部が、他の光源選択パターンの積算点灯時間にかかわらず、所与の光源選択パターンを維持するように構成される。これにより、光源選択パターンの不要な遷移が回避され、照度分布変化の防止が可能となる。
【００１３】
相対的に低い点灯率に対応する光源選択パターンの数は、相対的に高い点灯率に対応する光源選択パターンの数よりも多く、リンク関係がツリー状に形成されることが好ましい。全灯消灯状態からは比較的低い点灯率が選択されることが多いこと、及び全灯点灯状態からの点灯では積算点灯時間のみに基づいて光源選択パターンが決定されることから、上記構成により、複数の光源についてのきめ細かい積算点灯時間の平準化が実現される。
【００１４】
また、ユーザ入力を受け付けるユーザインターフェイス部が更に設けられ、ユーザインターフェイス部が、現在の光源選択パターンが、リンク関係に関与する複数の光源選択パターンのいずれかに合致する場合に、当該合致を表示する動作モニタ機能を備えることが好ましい。これにより、ユーザは点灯状態をより明確に把握することができ、照明制御装置の操作性が高まる。
【００１５】
具体的には、ユーザインターフェイス部が、表示画面と、表示画面上において選択可能な点灯率を表示する点灯率表示領域と、複数の光源選択パターンを表示するパターン表示領域とを備え、動作モニタ機能が、点灯率表示領域において現在の点灯率の表示を残余の点灯率の表示とは異なる態様で実行するとともに、パターン表示領域において現在の光源選択パターンの表示を残余の光源選択パターンの表示とは異なる態様で実行するように構成される。これにより、ユーザインターフェイス部における動作モニタ機能の視認性が高まる。
【００１６】
本発明の照明制御システムは、上記照明制御装置及び照明装置を備える。これにより、一般的な照明制御装置に少なくともリンク記憶部、積算時間記憶部及びパターン決定部を設けるだけで上記の有利な効果を享受できるので、導入容易な照明制御システムを実現することができる。そして、複数の光源の各々が光束立上りの遅いＨＩＤランプ又は指向性の高いＬＥＤランプである場合、に上記効果が一層顕著となる。
【００１７】
本発明はまた、上記形態における照明制御装置を制御するためのプログラムを含む。そのプログラムは、コンピュータを、上記いずれかの照明制御装置が備える各部として機能させる。このように、本発明はソフトウェアの導入によって上記の作用効果を実現できるので、照明制御装置及び照明制御システムの導入容易性を向上することができる。
【図面の簡単な説明】
【００１８】
【図１】実施形態による照明制御装置及びそれを含む照明制御システムを示すブロック図である。
【図２】実施形態の照明制御装置及び照明制御システムの動作を説明する模式図である。
【図３】実施形態の照明制御装置によるユーザインターフェイス部を説明する図である。
【図４】実施形態の照明制御装置によるパターン決定処理を示すフローチャートである。
【図５Ａ】点灯率切換時の問題のある増光動作を説明する図である。
【図５Ｂ】点灯率切換時の問題のある減光動作を説明する図である。
【発明を実施するための形態】
【００１９】
＜実施形態＞
図１に、本発明の実施形態に係る照明制御装置１を含む照明制御システム３のブロック図を示す。照明制御システム３は、照明制御装置１及び複数の照明装置２−１、２−２、・・・２−ｎを含む。なお、以降の説明において、照明装置２−１〜２−ｎについて、これらを総称して又はこれらの一部を代表して照明装置２というものとする。照明装置２の各々は、複数の光源２０を有する照明灯（例えば、照明鉄塔）である。なお、照明制御装置１及び照明装置２は、商用電源等の適切な電源から不図示の配線を介して適宜給電されているものとする。
【００２０】
照明制御装置１及び各照明装置２は相互にラインＬによって接続される。ラインＬは有線接続ラインであってもよいし、無線接続ラインであってもよい。ラインＬが有線通信ラインである場合、通信プロトコルとして、例えば、ＴＣＰ／ＩＰ、ＲＳ４８５等を用いることができる。また、ラインＬが無線通信ラインである場合、通信プロトコルとして、例えば、ＷｉＦｉ、ＺｉｇＢｅｅ等を用いることができる。但し、通信プロトコルはこれらに限られない。また、ラインＬは各照明装置に電力を供給するための電力線であってもよく、この場合、照明制御装置１及び各照明装置２の間では電力線搬送による信号通信が行われる。
【００２１】
ところで、各照明装置２の点灯状態は、使用状況に応じて、ユーザによって異なる点灯率間で切り換えられる。例えば、照明装置２がスポーツ施設のナイターで使用される場合、試合時には全灯点灯が適用され、試合前後の時間帯では８０％点灯が適用され、試合前の練習時には２／３灯点灯が適用され、試合前後の準備又は後片付け時には１／３灯点灯が適用されるようにすることができる。より具体的には、まず夕刻に１／３灯点灯の下で、施設又はチームのスタッフによって会場設営等の準備が行われ、その後１／３灯点灯が２／３灯点灯に切り換えられ、選手達がウォーミングアップを開始する。そして、観客の入場等に応じて８０％点灯が適用され、試合開始までには全灯点灯に切り換えられる。また、試合終了後には、まず全灯点灯が８０％点灯又は２／３灯点灯に切り換えられ、観客の退場に応じて２／３灯点灯が１／３灯点灯に切り換えられ、１／３灯点灯の下でスタッフによる後片付け、整備、清掃等が行われ、施設使用終了時に全灯が消灯される。
【００２２】
ここで、点灯率が１／３灯点灯が２／３灯点灯に切り換えられる場合に、それまで点灯していた１／３の第１の光源群が消灯されるとともにそれまで消灯していた２／３の第２の光源群が点灯されると、点灯される光源が「総入替え」される。同様に、点灯率が２／３灯点灯が１／３灯点灯に切り換えられる場合に、それまで点灯していた２／３の第１の光源群が消灯されるとともにそれまで消灯していた１／３の第２の光源群が点灯されると、点灯される光源が「総入替え」される。これらの場合（特に、全ての照明鉄塔で同時に上記の総入替えが行われると）、照明装置２による照度分布の変化が大きくなり、ユーザにおける視覚的違和感が大きくなり、好ましくない。
【００２３】
特に、光源２０がＨＩＤランプである場合、ＨＩＤランプの性質上、点灯開始からの数秒間はほとんど照度が得られない。図５Ａ及び図５Ｂに、光源２０がＨＩＤランプである場合の１／３灯点灯から２／３灯点灯への移行における「総入替え」時、及び２／３灯点灯から１／３灯点灯への移行における「総入替え」時の全体照度の変化をそれぞれ示す。図５Ａ及び図５Ｂのいずれにおいても、時刻ｔ１において、総入替えによる切換えがなされると、時刻ｔ１において全体照度が一時的にゼロ近くに下がり、その後光束が立ち上っていく。このように、時刻ｔ１において、ユーザには一瞬停電したかのような視覚的違和感が与えられる。しかも、図５Ａの場合には、全体照度レベルの増加を指定したにもかかわらず、時刻ｔ１後のしばらくの間はパターン切換え前の１／３灯点灯の照度すら得られないことになり、不快感がもたらされる。また図５Ｂの場合には、時刻ｔ１においてユーザには大きな照度の落差による不安感がもたらされる。
【００２４】
また、光源２０がＬＥＤランプである場合に、上記のように点灯／消灯の入替えの大きな遷移が行われると、ＬＥＤの高い指向性に起因して、その照度分布が照射面（地面等）において瞬間的に大きく変わることになる。このような照度分布の変化によって、ユーザにおけるちらつき感が増加し得る。
【００２５】
ここで、点灯率の切換の際に、点灯を継続する光源数を最大化するように点灯すべき光源群を切り換えるように照明制御装置において演算がなされれば、複数の光源の照度分布変化の問題は解決されそうである。しかし、実際に１つの照明装置には数十〜数百個の光源が設置され、これら多数の光源について上記の演算を実行しようとすると照明制御装置における処理負荷が増大し、照明制御装置のＣＰＵの高コスト化又は照明制御の遅延がもたらされる可能性がある。本発明は、このような潜在的な処理負荷の増大をなくすことも目的としている。
【００２６】
図１に戻り、本実施形態による照明制御装置１の各部の構成を説明する。なお、本実施形態は、１つの照明装置２に含まれる複数の光源２０の点灯制御に関する。したがって、ある照明装置２と他の照明装置２については、同じ制御が行われてもよいし、異なる制御が行われてもよい。
【００２７】
照明装置２の光源２０の各々は、不図示の照明インターフェイス及び光源点灯回路を介して点灯制御される。各光源２０の点灯状態は、照明制御装置１から伝送される照明制御信号によって制御される。本実施形態では、光源２０はＨＩＤランプであるものとして説明するが、光源２０がＬＥＤ、蛍光灯、ハロゲンランプ等であっても本発明の有利な効果が享受され得る。なお、ＨＩＤランプとは、高圧水銀ランプ、メタルハライドランプ、高圧ナトリウムランプ等を含む放電灯をいうものとする。照明インターフェイスは、ラインＬ上のデータのうち、照明制御信号から自己のアドレスに対応するデータを取り込み、そのデータに従って光源点灯回路の動作状態を決定し、光源２０を点灯又は消灯させることができる。
【００２８】
照明制御装置１は、メモリ１０、ＣＰＵ１３、ユーザインターフェイス部１６及び通信部１７を備え、各部及びその内部構成はバスＢによって相互に接続されるものとする。メモリ１０はプログラム及びデータを記憶するメモリであり、その一部としてリンク記憶部１１及び積算時間記憶部１２を含む。ＣＰＵ１３はプログラムを実行し、各部間の信号のやりとりを制御するプロセッサであり、計時部１４及びパターン決定部１５を含む。ＣＰＵ１３は、計時部１４及びパターン決定部１５における処理以外にも、一般的なＣＰＵとしての機能を実行できるものとする。
【００２９】
リンク記憶部１１は、ある点灯率の複数の光源選択パターンと、他の点灯率の複数の光源選択パターンとの間の予め設定されたリンク関係を記憶する。リンク関係は、詳細を後述するように、ある点灯率の複数の光源選択パターンと他の点灯率の複数の光源選択パターンとの間で共通して点灯される光源数が最大となる組合せの部分集合を紐付けするものである。なお、点灯率とは、複数の光源２０のうちの点灯される光源の割合をいう。また、以降の説明において、光源選択パターンを単に「パターン」といい、ある点灯率の複数の光源選択パターンと他の点灯率の複数の光源選択パターンとの間で共通して点灯される光源数を「点灯一致数」というものとする。
【００３０】
具体的な例示を、図２を参照して説明する。照明装置２は、説明の目的上、６グループに分けられた光源群２１〜２６を含み、各光源群は概ね同数の複数の光源２０を含むものとする。これらの光源群２１〜２６の各々は、図においては、模式的にエリアに区分されているが、実際には配光等を考慮して、適宜分散されている。本実施形態において適用され得る点灯率には、８０％点灯（点灯率Ｒ１）、２／３灯点灯（点灯率Ｒ２）及び１／３灯点灯（点灯率Ｒ３）がある。８０％点灯では光源群２１〜２６のうちのいずれか５群が点灯され、２／３灯点灯では光源群２１〜２６のうちのいずれか４群が点灯され、１／３灯点灯では光源群２１〜２６のうちのいずれか２群が点灯される。また、不図示であるが、全灯点灯及び全灯消灯では、光源群２１〜２６の全てがそれぞれ点灯及び消灯される。なお、点灯率は、０％より大きく１００％未満で定義されるものとする（すなわち、全灯消灯及び全灯点灯に関しては点灯率という用語を用いない）。
【００３１】
図２には、例示として、光源群２１〜２６を点灯率Ｒ１（８０％）で点灯させるためのパターンＰ１及びＰ２と、光源群２１〜２６を点灯率Ｒ２（２／３）で点灯させるためのパターンＰ３〜Ｐ６と、光源群２１〜２６を点灯率Ｒ３（１／３）で点灯させるためのパターンＰ７〜Ｐ１２を示す。パターンＰ１には、パターンＰ３及びＰ４が最大の点灯一致数（光源群数において４）で紐付けされ、パターンＰ３には、パターンＰ７及びＰ８が最大の点灯一致数（光源群数において２）で紐付けされ、パターンＰ４には、パターンＰ８及びＰ９が最大の点灯一致数（光源群数において２）で紐付けされる。同様に、パターンＰ２には、パターンＰ５及びＰ６が最大の点灯一致数（光源群数において４）で紐付けされ、パターンＰ５には、パターンＰ１０及びＰ１１が最大の点灯一致数（光源群数において２）で紐付けされ、パターンＰ６には、パターンＰ１１及びＰ１２が最大の点灯一致数（光源群数において２）で紐付けされる。
【００３２】
リンク記憶部１１は、これらのパターンＰ１〜Ｐ１２について、上記のリンク関係（すなわち、紐付け）を記憶する。この紐付けは、配光等を考慮してユーザによって予め設定されるものであり、点灯一致数を最大とする多数の可能な組合せのうちの一部又は全部、すなわち部分集合を関連付ける。したがって、例えば、パターンＰ１とパターンＰ６のように、点灯一致数が最大（光源群数において４）となるような組合せであっても紐付けされるとは限らない。なお、パターンＰ１〜Ｐ１２のようにリンク関係に関与するパターンを登録パターンといい、リンク関係に関与しないパターンを未登録パターンというものとする。この未登録パターンは、ユーザが光源群のいずれかを個別制御した結果、又は光源群の一部が故障による不点となった結果として発生し得る。
【００３３】
なお、上記の紐付けの概念はサブ属性として整理される。サブ属性は、最もパターン数が多い点灯率における各パターンに対応する。すなわち、図２の例では、点灯率Ｒ３におけるパターンＰ７〜Ｐ１２にサブ属性０〜５がそれぞれ対応する。その結果、パターンＰ１はサブ属性０〜２に属し、パターンＰ２はサブ属性３〜５に属し、パターンＰ３はサブ属性０及び１に属し、パターンＰ４はサブ属性１及び２に属し、パターンＰ５はサブ属性３及び４に属し、パターンＰ６はサブ属性４及び５に属する。
【００３４】
積算時間記憶部１２は、登録パターン（Ｐ１〜Ｐ１２）の各々についての積算点灯時間を記憶する。タイマ又はカウンタからなる計時部１４が各パターンの実行時に実行継続時間を計時し、ＣＰＵ１３がその実行継続時間を、各登録パターンの積算点灯時間に加算する。これにより、登録パターンの各々についての積算点灯時間が積算時間記憶部１２に蓄積されていく。
【００３５】
パターン決定部１５は、ユーザインターフェイス部１６からのユーザ入力に応じて、リンク記憶部１１に記憶されたリンク関係、及び積算時間記憶部１２に記憶された積算点灯時間に基づいて、適用すべきパターンを決定する。パターン決定部１５は、ユーザ入力の指定内容に対して、以下の規則に従って、適用すべきパターンを決定する。パターン決定部１５は、原則として、遷移先となるパターンの候補（以下、「遷移先候補」という）を特定してその遷移先候補の中から遷移先パターンを決定するが、例外的な場合もある。
【００３６】
規則１：全灯消灯又は全灯点灯から所与の点灯率への切換が指定された場合には、所与の点灯率のパターンのうちの最小の積算点灯時間のパターンが遷移先パターンとして決定される。
規則２：登録パターンでの点灯から異なる点灯率への切換が指定された場合には、遷移元のパターンとリンク関係を有するパターンが遷移先候補となる。
規則３：未登録パターンからいずれかの点灯率への切換が指定された場合には、点灯一致数が最大となるパターンが遷移先候補となる。
規則４：遷移先候補の中から最小の積算点灯時間のパターンが遷移先パターンとして決定される。ただし、遷移先候補が１つの場合、当該候補が遷移先パターンとして決定される。
規則５：規則１及び４の結果として、最小の積算点灯時間のパターンが複数個存在する場合には、最小番号のパターンが遷移先パターンとなる（最大番号のパターンが遷移先パターンとなるようにしてもよい）。
規則６：現在実行されているパターンの点灯率と同一の点灯率が指定された場合には、他のパターンの積算点灯時間にかかわらず現在のパターンが維持される。
規則７：個別制御、全灯点灯又は全灯消灯が指定された場合には、現在の点灯状態にかかわらず個別制御によって指定された点灯状態、全灯点灯又は全灯消灯が実行される。
【００３７】
（１）規則１の適用例
規則１が適用される場合として以下を例示する。
例えば、全灯消灯又は全灯点灯から点灯率Ｒ３（１／３灯点灯）が指定されると、規則１により、点灯率Ｒ３のパターンＰ７〜Ｐ１２の中で最小の積算点灯時間（１．７ｈ）のパターンＰ９が遷移先パターンとして決定される。
【００３８】
例えば、全灯消灯又は全灯点灯から点灯率Ｒ２（２／３灯点灯）が指定されると、規則１により、点灯率Ｒ２のパターンＰ３〜Ｐ６のうちの最小の積算点灯時間（２．７ｈ）のパターンＰ４が遷移先パターンとして決定される。
【００３９】
例えば、全灯消灯又は全灯点灯から点灯率Ｒ１（８０％点灯）が指定されると、規則１により、点灯率Ｒ１のパターンＰ１及びＰ２のうちの最小の積算点灯時間（４．８ｈ）のパターンＰ１が遷移先パターンとして決定される。
【００４０】
なお、規則１及び４に規定されるような最小積算点灯時間に基づく遷移動作をローテーションパターン（ＲＰ）動作ともいう。この関係で、図２において、点灯率Ｒ１、Ｒ２及びＲ３の行をそれぞれＲＰ１、ＲＰ２及びＲＰ３ともいう。このローテーションパターン動作によって光源群２１〜２６の積算点灯時間が平準化される。
【００４１】
また、リンク関係においては、図２に示すように、点灯率が低くなるにつれてパターン数が多くなり、紐付けは点灯率の高い方から低い方に向かって実質的にツリー又はピラミッド状に形成される。これは、全灯消灯状態からは比較的低い点灯率が選択されることが多いこと、及び全灯消灯状態からの点灯では積算点灯時間のみに基づいてパターンが決定されること（規則１）を考慮して、複数の光源２０についてのきめ細かい点灯時間の平準化を図るためである。
【００４２】
（２）規則２及び４の適用例
規則２及び４が適用される場合として以下を例示する。
例えば、点灯率Ｒ２（２／３灯点灯）のパターンＰ３が選択された状態で点灯率Ｒ３（１／３灯点灯）が指定された場合には、規則２により、リンク関係（サブ属性０及び１による紐付け）を有するパターンＰ７及びＰ８が遷移先候補として特定される。そして、規則４により、パターンＰ７及びＰ８のうちの最小の積算点灯時間（２．６ｈ）のパターンＰ８が遷移先パターンとして決定される。
【００４３】
例えば、点灯率Ｒ３（１／３灯点灯）のパターンＰ１１が選択された状態で点灯率Ｒ２（２／３灯点灯）が指定された場合には、規則２により、リンク関係（サブ属性４による紐付け）を有するパターンＰ５及びＰ６が遷移先候補として特定される。そして、規則４により、パターンＰ５及びＰ６のうちの最小の積算点灯時間（４．６ｈ）のパターンＰ５が遷移先パターンとして決定される。
【００４４】
例えば、点灯率Ｒ３（１／３灯点灯）のパターンＰ９が選択された状態で点灯率Ｒ２（２／３灯点灯）が指定された場合には、規則２により、パターンＰ９とリンク関係（サブ属性２による紐付け）を有するパターンＰ４が遷移先候補として特定される。そして、規則４により、この唯一の遷移先候補であるパターンＰ４がそのまま遷移先パターンとして決定される。
【００４５】
なお、点灯率Ｒ１と点灯率Ｒ３の間での切換の場合についても同様にして遷移先パターンが決定される。このように、光源群２１〜２６における照度分布変化の抑制及び複数の光源群２１〜２６間の積算点灯時間の平準化が、リンク記憶部１１に予め記憶された情報に基づいて実行される。したがって、ＣＰＵ１３の処理負荷が低く、ＣＰＵ１３の低コスト化及び迅速な照明制御が可能となる。したがって、点灯率切換の際に、低い処理負荷で、光源群２１〜２６の照度分布変化を抑制するとともに光源群２１〜２６間の積算点灯時間の平準化を図ることができる。
【００４６】
（３）規則３及び４の適用例
規則３及び４が適用される場合として以下を例示する。
例えば、未登録パターンである光源群２３、２５及び２６が点灯したパターンにおいて点灯率Ｒ２（２／３灯点灯）が指定された場合には、パターンＰ３、Ｐ４、Ｐ５及びＰ６の点灯一致数は、それぞれ光源群数において２、３、２及び３となるので、規則３により、パターンＰ４及びＰ６が遷移先候補として特定される。そして、規則４により、パターンＰ４及びＰ６のうちの最小の積算点灯時間（２．７ｈ）のパターンＰ４が遷移先パターンとして決定される。
【００４７】
例えば、未登録パターンである光源群２２、２３及び２５が点灯した状態で点灯率Ｒ２（２／３灯点灯）が指定された場合には、パターンＰ３、Ｐ４、Ｐ５及びＰ６の点灯一致数は、それぞれ光源群数において２、３、１及び２となるので、規則３により、パターンＰ４が遷移先候補として特定される。そして、規則４により、この唯一の遷移先候補であるパターンＰ４がそのまま遷移先パターンとして決定される。
【００４８】
例えば、未登録パターンである光源群２３、２５及び２６が点灯したパターンにおいて点灯率Ｒ３（１／３灯点灯）が指定された場合には、規則３により、最大の点灯一致数（光源群数において２）となるパターンＰ８及びＰ９が遷移先候補として特定される。そして、規則４により、パターンＰ８及びＰ９のうちの最小の積算点灯時間（１．７ｈ）のパターンＰ９が遷移先パターンとして決定される。
【００４９】
このように、パターンがリンク関係から外れた場合でも、複数の光源における照度分布変化の抑制及び複数の光源間の積算点灯時間の平準化が考慮された最適なパターンへの復帰が可能となる。
【００５０】
（４）規則６の適用例
規則６が適用される場合として以下を例示する。
例えば、点灯率Ｒ２（２／３灯点灯）のパターンＰ３が実行されている場合に、点灯率Ｒ２（２／３灯点灯）が指定された場合を想定する。仮に、最小の積算点灯時間（２．７ｈ）のパターンＰ４が選択されてしまうと、光源群２４が消灯し、光源群２５が点灯することになる。この場合、必要とされる照度が同じであるにもかかわらずパターン切換が生じてしまい、従来技術に関して述べた照度分布変化の問題がもたらされる。したがって、この場合には、規則６により、（パターンＰ４及びＰ５の積算点灯時間の方が少ないにもかかわらず）パターンＰ３が維持される。これにより、パターンの不要な遷移が回避され、照度分布変化の防止が可能となる。
【００５１】
次に、ユーザインターフェイス部１６を説明する。ユーザインターフェイス部１６は、本実施形態ではタッチパネルを備えるユーザ入出力部であり、ユーザはそれを介して照明装置２の点灯率又はパターンを指定できる。また、ユーザは、ユーザインターフェイス部１６を介して個別制御、全灯点灯又は全灯消灯を指定することもできる。なお、ユーザインターフェイス部１６は、照明制御装置１に固定された操作パネル又は端末の一部であってもよいし、照明制御装置１とは別体として照明制御装置１と通信可能な可搬通信端末の一部であってもよい。
【００５２】
図３に、ユーザインターフェイス部１６の表示画面１６０の一例を示す。表示画面１６０には、少なくとも、選択可能な点灯率を表示する点灯率表示領域１６１、及び登録パターンを表示するパターン表示領域１６２を備える。点灯率表示領域１６１においては、ユーザが所望の点灯率のアイコンをタッチすることによって点灯率が指定される。パターン表示部１６２については、パターンを表示する機能のみを有していてもよいし、ユーザが所望のパターンのアイコンをタッチすることによってパターンが指定される入力機能を有していてもよい。また、個別制御、全灯点灯及び全灯消灯の指定並びに他の照明装置２の点灯状態の制御は、不図示の別途の画面又は領域を用いて実行される。
【００５３】
ユーザインターフェイス部１６は、現在のパターンが、パターン表示領域１６２に表示されているパターン（登録パターン）のいずれか合致する場合に当該合致を表示する動作モニタ機能を有する。この動作モニタ機能は、その登録パターンに到達するまでの経緯にかかわらず、すなわち、現在のパターンが点灯率切換の結果であるのか、個別制御の結果であるのか、不点の結果であるのかを問わず、実行される。この動作モニタ機能によって、ユーザは点灯状態をより明確に把握することができ、照明制御装置１の操作性が高まる。
【００５４】
動作モニタ機能が実行されると、ユーザインターフェイス部１６は、点灯率表示領域１６１において現在の点灯率の表示（図３の例では、ＲＰ２（点灯率Ｒ２）の表示）と残余の点灯率の表示とを異なる態様で実行するとともに、パターン表示領域１６２において現在のパターンの表示（図３の例ではパターンＰ６の表示）と残余のパターンの表示とを異なる態様で実行する。図３に示す例では、現在の点灯に関与する部分のアイコンが赤色で表示されるとともに残余の部分のアイコンが緑色でされる。すなわち、動作中モニタ機能は、現在の点灯に関与する部分を、残余の部分とは視覚的に異なる態様で表示する。これにより、ユーザインターフェイス部１６における動作モニタ機能の視認性が高まる。
【００５５】
逆に、現在のパターンが登録パターンのいずれにも合致しない場合は、点灯率表示領域１６１の点灯率の表示は全て同じ態様となり、パターン表示領域１６２のパターンの表示も全て同じ態様となる。このような非合致の状況は、例えば、個別点灯制御によって未登録パターンが選択されている場合、故障によって光源群又は光源の一部が不点となった結果として未登録パターンが実行されている場合等に対応する。ただし、個別点灯制御によって登録パターンが選択されている場合、及び故障によって光源群又は光源の一部が不点となった結果として登録パターンが実行されている場合には、動作モニタ機能が実行される。
【００５６】
例えば、図３に示す状態から、ユーザがＲＰ１にタッチした場合、すなわち、８０％点灯を指定した場合、ＲＰ１のアイコン及びパターンＰ２のアイコンが赤色表示され、残余のアイコンが緑色表示される（規則２及び４参照）。また、図３に示す状態から、ユーザがＲＰ３にタッチした場合、すなわち、１／３灯点灯を指定した場合、ＲＰ３のアイコン及びパターンＰ１２のアイコンが赤色表示され、残余のアイコンが緑色表示される（規則２及び４参照）。また、図３に示す状態から、光源群２３が不点となった場合には、パターンがリンク関係から外れるので、点灯率選択領域１６１及びパターン表示領域１６２の全てのアイコンが緑色表示される。また、この状態から光源群Ｐ２５が更に不点となった場合には、パターンはパターンＰ１１に合致するので、ＲＰ３のアイコン及びパターンＰ１１のアイコンが赤色表示され、残余のアイコンが緑色表示される。
【００５７】
動作モニタ機能における上記の視覚的に異なる態様には種々の形態がある。例えば、現在の点灯に関与する部分（アイコン及び背景の一方又は両方）と残余の部分（アイコン及び背景の一方又は両方）とが異なる色で表示される（図３参照）。また、現在の点灯に関与する部分が大きなアイコンで表示されるとともに残余の部分が小さなアイコンで表示される等、両者が異なる大きさで表示されてもよいし、現在の点灯に関与する部分が円形アイコンで表示されるとともに残余の部分が長方形のアイコンで表示される等、両者が異なる形状（同一形状で向きが異なる形状も異なる形状に含む）で表示されてもよい。あるいは、現在の点灯に関与する部分（アイコン及び背景の一方又は両方）が点滅されるとともに残余の部分（アイコン及び背景の一方又は両方）が連続表示される等、両者が異なる動作で表示されてもよい。あるいは、現在の点灯に関与する部分が動的アイコン（例えば、回転するアイコン）で表示されるとともに残余の部分が静的アイコンで表示される等、両者が異なる動きで表示されてもよい。またさらに、上記の異なる表示色、異なる大きさ、異なる形状、異なる動作及び異なる動きの２以上が組み合わされてもよい。なお、現在の点灯に関与する部分と残余の部分とが識別される態様であれば、点灯率表示領域１６１の表示態様とパターン表示領域１６２の表示は同じ態様でなくてもよい。
【００５８】
通信部１７は、パターン決定部１５によって決定されたパターンに従って照明装置２の各々を制御するための照明制御信号を生成し、その照明制御信号を対応の各照明装置２に送信する。例えば、通信部１７は、各照明装置２のアドレスとパターンとを対応付けて所定の通信プロトコルに準拠したフレームのデータを形成し、そのデータが含まれる照明制御信号をラインＬに出力する。また、通信部１７は、照明装置２の点灯状態に関する情報（例えば、不点光源又は不点光源群の情報）を照明装置２から受信するように構成される。この不点に関する情報は、上述した動作モニタ機能に反映される。
【００５９】
図４に、本実施形態のパターン決定処理を説明するフローチャートを示す。なお、フローチャートには表れないが、通信部１７は処理中には常に必要な信号又は情報を送受信するものとする。また、登録パターンでの点灯が行われている場合、積算時間記憶部１２は、その登録パターンに到達するまでの経緯にかかわらず、すなわち、その登録パターンが点灯率切換の結果であるのか、個別制御の結果であるのか、不点の結果であるのかを問わず、当該登録パターンについての点灯時間を積算するものとする。
【００６０】
ステップＳ５において、ユーザインターフェイス部１６がユーザ入力の有無を判定し、ユーザ入力が受け付けられると（ステップＳ５、Ｙｅｓ）、処理はステップＳ１０に進む。
【００６１】
ステップＳ１０において、パターン決定部１５は、ユーザ入力がいずれかの点灯率を指定しているか否かを判定する。ユーザ入力がいずれかの点灯率を指定している場合（ステップＳ１０、Ｙｅｓ）、処理はステップＳ３０に進む。それ以外の場合（ステップＳ１０、Ｎｏ）、処理はステップＳ１５に進む。
【００６２】
ステップＳ１５において、パターン決定部１５は、ユーザ入力が個別制御又は全灯点灯を指定しているか否かを判定する。ユーザ入力が個別制御又は全灯点灯を指定している場合（ステップＳ１５、Ｙｅｓ）、処理はステップＳ２０に進み、ＣＰＵ１３が個別制御又は全灯点灯を実行するよう動作する（規則７）。そして、処理はステップＳ５に戻り、次のユーザ入力があるまで（不点がない限り）現在のパターンが維持される。なお、個別制御の結果として登録パターンのいずれかに属する場合には、上記の動作モニタ機能が実行される。一方、ユーザ入力が個別制御又は全灯点灯を指定していない場合、すなわち、ユーザ入力が全灯消灯を示している場合（ステップＳ１５、Ｎｏ）、処理はステップＳ２５に進み、ＣＰＵ１３が全灯消灯を実行するように動作する（規則７）。この時点で処理は終了する。
【００６３】
ステップＳ３０において、パターン決定部１５は、指定された点灯率が現在の点灯率と同一か否かを判定する。指定された点灯率が現在の点灯率と同一である場合（ステップＳ３０、Ｙｅｓ）、処理はステップＳ５に戻り、次のユーザ入力があるまで（不点がない限り）現在のパターンが維持される（規則６）。一方、指定された点灯率が現在の点灯率と同一でない場合（ステップＳ３０、Ｎｏ）、処理はステップＳ３５に進む。
【００６４】
ステップＳ３５において、パターン決定部１５は、現在の点灯状態が全灯消灯又は全灯点灯であるか否かを判定する。現在の点灯状態が全灯消灯又は全灯点灯である場合（ステップＳ３５、Ｙｅｓ）、処理はステップＳ４０に進む。それ以外の場合（ステップＳ３５、Ｎｏ）、処理はステップＳ４５に進む。
【００６５】
ステップＳ４０において、パターン決定部１５は、ローテーションパターン動作により、指定された点灯率の全パターンから最小の積算点灯時間のパターンを決定する（規則１）。そして、処理はステップＳ５に戻り、次のユーザ入力があるまで、ステップＳ４０で決定されたパターンが（不点がない限り）維持される。
【００６６】
ステップＳ４５において、パターン決定部１５は、現在のパターンが登録パターンのいずれかに一致するか否かを判定する。現在のパターンが登録パターンのいずれかに一致する場合（ステップＳ４５、Ｙｅｓ）、処理はステップＳ５０に進む。現在のパターンが登録パターンのいずれにも一致しない場合、すなわち、未登録パターンである場合（ステップＳ４５、Ｎｏ）、処理はステップＳ５５に進む。
【００６７】
ステップＳ５０において、パターン決定部１５は、現在のパターンとリンク関係（属性による紐付け）を有するパターンを遷移先候補として特定する（規則２）。
【００６８】
ステップＳ５５において、パターン決定部１５は、最大の点灯一致数のパターンを遷移先候補として特定する（規則３）。
【００６９】
ステップＳ６０において、パターン決定部１５は、複数の遷移先候補が存在するか否かを判定する。複数の遷移先候補が存在する場合（ステップＳ６０、Ｙｅｓ）、ステップＳ６５において、パターン決定部１５は、遷移先候補の中から最小の積算点灯時間のパターンを遷移先パターンとして決定する（規則４）。一方、単一の遷移先候補しか存在しない場合（ステップＳ６０、Ｎｏ）、ステップＳ７０において、パターン決定部１５は、遷移先候補をそのまま遷移先パターンとして決定する（規則４）。そして、処理はステップＳ５に戻り、次のユーザ入力があるまで、ステップＳ６５又はＳ７０で決定されたパターンが（不点がない限り）維持される。
【００７０】
なお、ステップＳ４０及びＳ６５において、最小の積算点灯時間のパターンが複数個存在する場合には、パターン決定部１５は、最小番号（又は最大番号）のパターンを遷移先パターンとして決定する（規則６）。
【００７１】
以上のように、本実施形態の照明制御装置１において、リンク記憶部１１が、ある点灯率（第１の点灯率）の複数のパターンと他の点灯率（第２の点灯率）の複数のパターンと間の予め設定されたリンク関係を記憶し、リンク関係において、第１の点灯率の複数のパターンと第２の点灯率の複数のパターンとの間で点灯一致数が最大となる組合せの部分集合が紐付けされる。そして、積算時間記憶部１２が、第１及び第２の点灯率の複数のパターンの各々についての積算点灯時間を記憶する。パターン決定部１５は、第１の点灯率と第２の点灯率の間で点灯率が切り換えられる場合に、遷移元パターンに対してリンク関係のあるパターンを遷移先候補として特定し、遷移先候補から最小の積算点灯時間のパターンを遷移先パターンとして決定し、通信部１７が、パターン決定部１５によって決定されたパターンでの点灯を指示する信号を照明装置２に送信する。もちろん、本構成は、上述してきたように、３個以上の点灯率を有する構成に一般化及び拡張できる。
【００７２】
このように、点灯率切換の際に、パターン決定部１５が、リンク記憶部１１に予め記憶されたリンク関係に従って遷移先候補を特定し、その上で積算時間記憶部１２に記憶された積算点灯時間に基づいて遷移先候補から遷移先パターンを決定する。したがって、複数の光源２０を有する照明装置２の点灯制御において、光源群２１〜２６における照度分布変化の抑制及び光源群２１〜２６間の積算点灯時間の平準化が、予め記憶された情報に基づいて実行される。これにより、点灯率の切換の際に、低い処理負荷で、複数の光源間の積算点灯時間の平準化を図るだけでなく複数の光源の照度分布変化を抑制してユーザにおける視覚的違和感を軽減することが可能となる。上記の効果は、照明制御システム３において、光源２０が光束立上りの遅いＨＩＤランプである場合の全体照度の変化の抑制、及び光源２０が指向性の高いＬＥＤランプである場合の照度分布の変化の抑制において特に有利である。
【００７３】
＜プログラム等＞
なお、上述した各実施形態における照明制御装置１又は照明制御システム３を実現する各構成要素、及び処理の各ステップは、メモリ１０に記憶されたプログラムをＣＰＵ１３が実行することによって実現される。
【００７４】
また、本発明は、上記各実施形態の機能を実現するソフトウェアのプログラム（図４に示すフローチャートに対応したプログラム）が、照明制御装置１に直接に、又は遠隔から供給される場合も含む。したがって、本発明の機能処理を実現するために、照明制御装置１にインストールされるプログラムコード自体も本発明に含まれる。すなわち、本発明には、本発明の機能処理を実現するためのコンピュータプログラムも含まれる。そのプログラムは、コンピュータを、少なくとも上記のリンク記憶部１１、積算時間記憶部１２、計時部１４、パターン決定部１５、ユーザインターフェイス部１６及び通信部１７として機能させることができる。このように、本発明は、上記実施形態に示したような作用効果をソフトウェアの導入によって実現できるので、照明制御装置１及び照明制御システム３の導入容易性を向上することができる。
【００７５】
上記プログラムがインターネットからダウンロードされるようにしてもよい。この場合、ブラウザ機能によってインターネットのホームページに接続された照明制御装置１に、そのホームページから上記コンピュータプログラム又は圧縮され自動インストール機能を含むファイルがハードディスク等にダウンロードされる。
【００７６】
上記プログラムを記憶したコンピュータ読み取り可能な記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【００７７】
＜変形例＞
以上に本発明の好適な実施形態を示したが、本発明は、例えば以下に示すように種々の態様に変形可能である。
【００７８】
（１）点灯状態の遷移のトリガに関する変形
上記実施形態では、点灯状態の遷移（点灯率の切換）がユーザインターフェイス部１６からのユーザ入力をトリガとして行われる構成を示したが、点灯状態の遷移は時間経過をトリガとして行われてもよい。例えば、各点灯状態の所要時間を設定したプログラムをメモリ１０に記憶しておき、ＣＰＵ１３が、そのプログラム及びタイマ機能に従って点灯状態を所要時間ごとに遷移させていくようにしてもよい。あるいは、予め設定された時刻に対する点灯状態の遷移を設定したプログラムをメモリ１０に記憶しておき、ＣＰＵ１３が、そのプログラム及び時計機能に従って所定時刻ごとに点灯状態を遷移させていくようにしてもよい。
【００７９】
（２）照明制御システム３が導入される施設に関する変形
上記実施形態では、わかり易い例として、照明制御システム３がスポーツ施設に導入される例を挙げたが、本発明は当然に他の施設にも導入可能である。例えば、工場、ショッピングモール、コンサート会場、その他あらゆる施設に本発明は適用可能である。また、上記実施形態では、１つの照明装置２に含まれる多数の光源２０の点灯制御に関して説明したが、複数の光源２０の点灯制御に関するものであれば、本発明は複数の照明装置２にわたって横断的に設置された複数の光源２０の点灯制御にも適用可能である。
【００８０】
（３）光源群の構成の変形
上記実施形態では、６個の光源群２１〜２６について６個のサブ属性０〜５が設定される構成としたが、光源群の数及びサブ属性の数はこれらに限られず、他の群分け及び他のサブ属性分けがユーザによって適宜設定可能である。また、上記実施形態では、選択可能な点灯率が８０％、２／３灯点灯及び１／３灯点灯である構成を示したが、選択可能な点灯率として、１／２灯点灯、１／４灯点灯、１／８灯点灯等の他の割合も適用可能である。
【符号の説明】
【００８１】
１  照明制御装置
２、２−１〜２−ｎ  照明装置
３  照明制御システム
１０  メモリ
１１  リンク記憶部
１２  積算時間記憶部
１３  ＣＰＵ
１４  カウンタ部
１５  パターン決定部
１６  ユーザインターフェイス部
１７  通信部
２０  光源
２１〜２６  光源群
１６０  表示画面
１６１  点灯率表示領域
１６２  パターン表示領域
【図１】
2017168242.tif 000003
【図２】
2017168242.tif 000004
【図３】
2017168242.tif 000005
【図４】
2017168242.tif 000006
【図５Ａ】
2017168242.tif 000007
【図５Ｂ】
2017168242.tif 000008